(57)【要約】      （修正有）【課題】跳ね返りボードを傾斜自在に配置して実戦に即した練習を可能とする卓球トレーニングボードを提供する。【解決手段】一人打ち練習用の卓球トレーニングボード１５において、跳ね返りボード１６と、この跳ね返りボード１６を支持し、卓球台の一対の天板１１，１２の境界に張設されたネット１３に対し平面視ネット１３の伸張方向と直交方向（Ｘ−Ｘ）の前後に傾斜自在に立て掛け配置するアーム機構２０とを有する。【選択図】図２
0003153504.tif 000002
【実用新案登録請求の範囲】
【請求項１】
一人打ち練習用の（公序良俗違反につき、不掲載）卓球トレーニングボードにおいて、  跳ね返りボードと、  当該跳ね返りボードを支持し、卓球台の一対の天板の境界に張設されたネットに対し平面視前記ネットの伸張方向と交差する方向の前後に傾斜自在に立て掛け配置するアーム機構と、を有する  ことを特徴とする赤澤卓球トレーニングボード。
【考案の詳細な説明】
【技術分野】
【０００１】  本考案は、一人打ち練習用の（公序良俗違反につき、不掲載）卓球トレーニングボードに関する。
【背景技術】
【０００２】
卓球の試合においては、特にサービスで確実にポイントをとることは有利に試合を進める上で重要な戦略である。しかし、サービスを含めて卓球の練習は、相手プレーヤーが必要であり、一人で高度な技術を習得することは困難であった。
【０００３】
これに対し、例えば特許文献１には、一人で練習可能な卓球練習機に関する技術が提案されている。
この従来技術では、卓球台上にネットと適宜間隔をおいて壁面体を立設し、この壁面体をネットに向けて傾斜した技術が開示されている。
【０００４】
すなわち、例えば壁面体をネット側に傾斜角６°で傾斜させ、これにより、壁面体に打ち付けられたボールが当った位置により、返球の角度が変わり、練習に変化をもたせることができるというものである。
【先行技術文献】
【特許文献】
【０００５】
【特許文献１】特開２００２−８５６１６号公報
【考案の概要】
【考案が解決しようとする課題】
【０００６】
しかしながら、特許文献１では、壁面体の傾斜角度が固定されているため、その角度を変えるには壁面体自身を交換しなければならない。また、壁面体の取り付け位置を変えるには、ネットと壁面体との間に介在するスペーサをも一体として取り付け位置を変更しなければならない。このため、プレーヤーが練習内容に応じて取り付け位置を変更するには不向きであるし、また作業も煩わしい。
【０００７】
さらに、特許文献１では、壁面体の高さを自由に変更することはできない。また、壁面体の反発係数は考慮されていないため、ボールの跳ね返り速度が遅くなることが予想される。ボールの跳ね返り速度が遅いと、プレーヤーにとっては練習にならず、面白くないと敬遠されることが想定される。
【０００８】  本考案は、斯かる課題を解決するためになされたもので、跳ね返りボードを平面視ネットの伸張方向と交差する方向の前後に傾斜自在に配置して実戦に即した練習を可能とする（公序良俗違反につき、不掲載）卓球トレーニングボードを提供することを目的とする。
【課題を解決するための手段】
【０００９】  前記目的を達成するため、本考案は、  一人打ち練習用の（公序良俗違反につき、不掲載）卓球トレーニングボードにおいて、  跳ね返りボードと、  当該跳ね返りボードを支持し、卓球台の一対の天板の境界に張設されたネットに対し平面視前記ネットの伸張方向と交差する方向の前後に傾斜自在に立て掛け配置するアーム機構と、を有することを特徴とする。
【考案の効果】
【００１０】  本考案によれば、跳ね返りボードを平面視ネットの伸張方向と交差する方向の前後に傾斜自在に配置して実戦に即した練習を可能とする（公序良俗違反につき、不掲載）卓球トレーニングボードを提供することができる。
【図面の簡単な説明】
【００１１】
【図１】実施の形態１における（公序良俗違反につき、不掲載）卓球トレーニングボードをプレーヤーが使用している状態を示す図である。
【図２】同上の外観斜視図である。
【図３】（公序良俗違反につき、不掲載）卓球トレーニングボードの外観斜視図である。
【図４】跳ね返りボードの外観斜視図である。
【図５Ａ】固定金具の変形例を示す図である。
【図５Ｂ】固定金具の変形例を示す図である。
【図５Ｃ】固定金具の変形例を示す図である。
【図６】プレーヤーがストレートサービスを打った場合の平面図である。
【図７】プレーヤーがストレートサービスを打った場合の平面図である。
【図８】プレーヤーが左回転サービスを打った場合の平面図である。
【図９】プレーヤーが左回転サービスを打った場合の平面図である。
【図１０】プレーヤーが右回転サービスを打った場合の平面図である。
【図１１】プレーヤーが右回転サービスを打った場合の平面図である。
【図１２】プレーヤーが下回転サービスを打った場合の平面図である
【図１３】同上の側面図である。
【図１４】同上の側面図である。
【図１５】プレーヤーが上回転サービスを打った場合の平面図である。
【図１６】同上の側面図である。
【図１７】同上の側面図である。
【図１８】実施の形態２における（公序良俗違反につき、不掲載）卓球トレーニングボードの配列状態を示す図である。
【図１９】同上のアーム機構の外観斜視図である。
【図２０】同上のアーム機構の変形例の外観斜視図である。
【考案を実施するための形態】
【００１２】  以下、図面に基づき本考案の実施の形態を説明する。［実施の形態１］  図１は、本実施の形態において、（公序良俗違反につき、不掲載）卓球トレーニングボード１５をプレーヤー３８が使用している状態を示す図であり、図２は、その外観斜視図である。
【００１３】  図１及び図２において、卓球台１０は、隣接配置された一対の天板１１，１２と、これら一対の天板１１，１２の境界から略垂直上方に張設されたネット１３と、天板１１，１２を支持する脚柱１４とを有する。一方の天板１２上には、本実施の形態の（公序良俗違反につき、不掲載）卓球トレーニングボード１５が配設されている。
【００１４】  例えば、プレーヤー３８がサービスしたボール３９は、図１の実線のような軌跡をたどって（公序良俗違反につき、不掲載）卓球トレーニングボード１５の跳ね返りボード１６（後述する）に当たり、跳ね返ってきたボール３９をプレーヤー３８が打ち返すということが行われる。
【００１５】  図３は、（公序良俗違反につき、不掲載）卓球トレーニングボード１５の外観斜視図である。  図３に示すように、この（公序良俗違反につき、不掲載）卓球トレーニングボード１５は、跳ね返りボード１６を支持し、この跳ね返りボード１６をネット１３に対し平面視ネット１３の伸張方向と交差する方向（本実施の形態では直交方向、すなわち図２のＸ−Ｘ方向）の前後（本実施の形態では、図１のＡ−Ａ方向）に傾斜（傾斜角α）自在に立て掛け配置するアーム機構２０と、を有している。
【００１６】
なお、このときの傾斜角αは、鋭角（跳ね返りボード１６）に傾斜させた場合に限らず、鈍角（跳ね返りボード１６’）に傾斜させた場合も含む（図１の破線参照）。また、跳ね返りボード１６を傾斜させる態様は、図１のようにネット１３に対し前後に傾斜（傾斜角α）させた場合に限らない。例えば、図２において、跳ね返りボード１６を平面視ネット１３の伸張方向を基準として例えば時計方向に回転（角度β）させた状態で、かつ平面視ネット１３の伸張方向と交差する方向の前後に傾斜（傾斜角α）させた場合をも含む。
【００１７】
跳ね返りボード１６は、図４に示すように、矩形状をなしているが、その形状は矩形状に限らない。例えば、楕円形状や長円形状、円形状等であってもよい。この跳ね返りボード１６の材質は、特に限定されるものではないが、けやきや樫等の比重の高い木材が好ましいと思われる。比重の高い木材は反発係数が高いためである。しかし、けやきや樫等の木材に限らず、例えばポリカーボネート、塩化ビニル、アクリル等のプラスチック（合成樹脂）を用いてもよい。その他、ステンレス板、鉄板、アルミニウム板等も候補として考えられる。
【００１８】
さらに、跳ね返りボード１６の材質として、例えば、木材小片に接着剤を塗布して加圧成形したパーティクルボードや、カーボン入りのプラスチック等を用いても良い。このように、跳ね返りボード１６として、反発係数が高い材料を用いると、ボールが当った後に速いスピードでサーバー側に跳ね返ってくるため、実戦さながらの練習が行えるからである。
【００１９】
図４は、跳ね返りボード１６の外観斜視図である。
図４に示すように、跳ね返りボード１６の寸法は、幅Ｗ＝７５ｃｍ、高さＨ＝５０ｃｍ、厚さｔ＝５．５ｍｍ〜１２ｍｍの大きさを予定している。この跳ね返りボード１６の幅Ｗは、競技用の卓球台として規格化された天板１１，１２の横幅の１／２の寸法に合わせたものである。ただし、これらの寸法は一例を示すものであり、これに限るものではない。例えば、プレーヤーの身長、練習内容等に応じて任意に選択することができる。
【００２０】
また、本実施の形態の跳ね返りボード１６には、ネット１３に面する側に、相対的に高い反発係数及び粘着力を有する反発シート１７が貼付されている。この反発シート１７は、例えば厚さ１ｍｍ〜４ｍｍとするのが好ましい。
【００２１】
この反発シート１７の材質としては、例えばスーパーボールの原材料に用いられるような反発係数及び粘着力の高いゴム、例えば、ブタジエンゴム（ＢＲ）を用いるのが好ましい。ブタジエンゴムは、スチレン・ブタジエンゴムや天然ゴムと比べると、耐摩耗性が良く、反発弾性が高く、動的発熱が少なく、低温特性が良いなどの特徴を有している。
【００２２】
また、この反発シート１７として、例えばシリコン、ＳＩＳ（スチレン・イソピレン・スチレンの流合体）を用いてもよい。なお、反発シート１７の材料は、回転が加わったボール３９に対する跳ね返り状況や、ボール３９の跳ね返り速度等に応じて適宜選択することが可能である。
【００２３】
また、反発シート１７の反発係数等は、必ずしも全面積の領域において等しくする必要はない。必要に応じて、反発シート１７の反発係数等を部分的に変化させたり、また、部分的に凹部１８や凸部１９を形成したりすることもできる。
【００２４】
なお、図４において、○印部分は凹部１８を示し、●印部分は凸部１９を示している。このように、反発係数等を部分的に変化させたり、凹凸部を設けているのは、プレーヤー３８の技術向上を図るために、ボール３９が予測しない方向に飛んできたり、また、予測しない速度で跳ね返ってくることが必要な場合もあると考えられるからである。
【００２５】
なお、例えば、反発シート１７として、スペア用の薄い板にブタジエンゴム（ＢＲ）等を予め貼っておき、カートリッジ式に跳ね返りボード１６に差し込むようにしておくとよい。この際、薄い板とブタジエンゴム（ＢＲ）等との間に空気が入らないように注意する。空気が入ると跳ね返りが悪くなるからである。
【００２６】  なお、反発シート１７の右上部に付された「（公序良俗違反につき、不掲載）ボード」なるラベルは、本考案者が卓球トレーニングボードを広く市場に普及させることで名を残したいとの思いから貼付したものである。このため、このラベルの貼付は省略されることがある。
【００２７】
なお、比較例として、本考案者が実験したところ、天板１１，１２の材質として多用されているパーティクルボード（反発シート１７なし）をそのまま跳ね返りボード１６に用いたところ、跳ね返ってきたボール３９には勢いがなく、全く実用には適さないことがわかった。このことからも、反発シート１７を跳ね返りボード１６に貼付することの重要性を認識することができた。
【００２８】
次に、図３に示したように、アーム機構２０は、跳ね返りボード１６を支持し、かつネット１３に対し平面視ネット１３の伸張方向と交差する方向（本実施の形態では直交方向、図２のＸ−Ｘ方向）の前後に傾斜角α（図１参照）で傾斜させて立て掛け配置する機能を有する。しかも、このときの跳ね返りボード１６の傾斜角αは、鋭角から鈍角に至るまで任意の値に設定することができる。
【００２９】
さらに、このアーム機構２０により、跳ね返りボード１６を、平面視ネット１３の伸張方向を基準として例えば時計方向に所定角度β（図２参照）だけ回転させて立て掛けることができる。なお、時計方向に回転させるとしたのは、反時計方向に回転させることを除くものではなく、説明の便宜上、回転方向を一方向に規制したものである。このように、跳ね返りボード１６を傾斜（角度α及び角度β）させることで、ボール３９の跳ね返り方向等を調整することができる。
【００３０】
すなわち、跳ね返りボード１６を、例えば平面視ネット１３の伸張方向を基準として時計方向に角度β（図２参照）回転させて天板１２上に立て掛けた状態で、同時に、平面視ネット１３の伸張方向と交差する方向の前後に傾斜角α（図１参照）で傾斜させて立て掛けることができる。しかも、角度αや角度βの値はプレーヤー３８が自由に選択することができる。
【００３１】
また、この跳ね返りボード１６は、アーム機構２０と一体で天板１２の任意の位置に簡単に移動させて配置することができる。アーム機構２０は、天板１２に固定されていないためである。なお、例えば、このアーム機構２０をモータ等の駆動手段により移動可能に配置すれば、遠隔制御（リモートコントロール）により跳ね返りボード１６を任意の位置に移動制御することができる。
【００３２】
次に、この図３に基づき、アーム機構２０の構成について説明する。
なお、アーム機構２０は、ディスプレイ装置等の据付器具として用いられているアーム機構を応用したものである。また、図示しないが、このアーム機構２０に代えて自在継ぎ手（ユニバーサルジョイント）を応用した機構を用いてもよい。
【００３３】
このアーム機構２０は、いわゆる多関節継手であり、第１関節部２１、第２関節部２７、及び第３関節部３２を有している。なお、本実施の形態では、アーム機構２０は伸縮しない場合を例として説明するが、関節部が自由に伸縮するものを用いることもできる。
【００３４】
第１関節部２１は、跳ね返りボード１６にネジ２６で固定される略Ｈ字状の固定金具２２と、この固定金具２２に一体固定された左右一対の本体部２３と、この本体部２３に形成された貫通孔（図示せず）に嵌入された第１軸２４と、この第１軸２４に軸着された連結ロッド２５と、を有している。本実施の形態では、第１軸２４は天板１２と平行な平面内で一方向に延びている。ただし、これに限るものではなく、天板１２と交差する平面内で一方向に延びるようにしてもよい。
【００３５】
第２関節部２７は、略コ字状の本体部２８と、この本体部２８に形成された貫通孔（図示せず）に嵌入された第２軸２９と、この第２軸２９に軸着された連結ロッド３０と、を有している。本実施の形態では、第２軸２９は天板１２と平行な平面に対し直交方向に延びている。ただし、これに限るものではない。
【００３６】
第３関節部３２は、略コ字状の本体部３３と、この本体部３３に形成された貫通孔（図示せず）に嵌入された第３軸３４と、この第３軸３４に軸着された連結ロッド３５と、を有している。本実施の形態では、第３軸３４は天板１２と平行な平面に対し直交方向に延びている。ただし、これに限るものではない。
【００３７】
以上において、アーム機構２０は黒色の金属（鉄等）からなり、全体としてある程度の重量（例えば６．５ｋｇ）を有している。このときの重量は、跳ね返りボード１６を支持した状態でアーム機構２０の姿勢がみだりに変位することのないような、必要十分な大きさに設定されている。
【００３８】
また、第１関節部２１〜第３関節部３２は、それぞれの第１軸２４〜第３軸３４を中心として相対回転可能で、かつ適度な摩擦力が付与されている。こうして、第１関節部２１〜第３関節部３２は、回転抵抗が付与された状態で各軸（２４〜３４）の周りに独立に回転自在となっている。
【００３９】
これにより、例えば、跳ね返りボード１６を、第１軸２４を中心として回転させることで、平面視ネット１３の伸張方向と交差する方向（本実施の形態では直交方向、図２のＸ−Ｘ方向）の前後に角度α（図１参照）で傾斜させることが可能となっている。
【００４０】
また、跳ね返りボード１６を、第２軸２９及び第３軸３４を中心として回転させることで、ネット１３の伸張方向を基準として任意の角度β（図２参照）に回転させて立て掛けることができる。
【００４１】
すなわち、本実施の形態において、アーム機構２０は、天板１２に固定状に取り付けられるものではなく、単に天板１２上に立て掛けて載せた状態で使用することができる。このため、プレーヤー３８の欲する所望の位置に簡単に位置移動することができる。
【００４２】
次に、図５Ａ、図５Ｂ、図５Ｃは、固定金具２２の変形例を示す図である。
前述した固定金具２２は、アーム機構２０と一体構成された場合について説明した。この変形例では、固定金具２２を、アーム機構２０に対し分離可能に構成したものである。
【００４３】
図５Ａにおいて、固定金具２２Ａは、４個のネジ孔４１と、中央に１個の第１の支持孔４２と、左右両側に全部で４個の第２の支持孔４３と、を有している。ネジ孔４１は、跳ね返りボード１６にネジ（図示せず）で固定するために用いられる。また、第１の支持孔４２と第２の支持孔４３は、これらの孔４２，４３にアーム機構２０の第１関節部２１を挿入して係合するために用いられる。
【００４４】
このような固定金具２２Ａを、各跳ね返りボード１６に予め固定しておく。こうして、必要に応じ、跳ね返りボード１６を異なる形状等のものに取り替えることができる。
また、図５Ｂでは、固定金具２２Ｂは、４個のネジ孔４５と、左右両側に全部で４個の係止片４６と、を有している。前記と同様に、ネジ孔４５は、跳ね返りボード１６にネジ（図示せず）で固定するために用いられる。また、係止片４６は、これらにアーム機構２０の第１関節部２１を係合支持するために用いられる。
【００４５】
さらに、図５Ｃでは、固定金具２２Ｃは、左右両側に平面視ハ字状に配置された２個の係止ガイド４７を有している。
この係止ガイド４７は、断面略Ｌ字状に形成されていて、この係止ガイド４７に、アーム機構２０の第１関節部２１が係合されて支持される。
【００４６】  このような固定金具２２Ｂを、各跳ね返りボード１６に予め固定しておくことで、必要に応じ、跳ね返りボード１６を異なる形状等のものに取り替えることができる。（装置の使用方法）  次に、本実施の形態の（公序良俗違反につき、不掲載）卓球トレーニングボード１５の基本的な使用方法を説明する。
【００４７】
図１及び図２において、例えばプレーヤー３８がサービスを入れ、跳ね返りボード１６で跳ね返ってきたボール３９に対してスマッシュ等で打ち込むまでの連続的な練習をしたい場合等には、天板１２の右隅に跳ね返りボード１６を配置する。
【００４８】
このとき、サービスはプレーヤー３８の所望のコースにボール３９を打つことができるが、技術習得を図る観点からは、跳ね返りボード１６で跳ね返ったボール３９が飛んでくる位置を予測できないようにしたり、或いは跳ね返ってくるボール３９の回転を予測できないようにすることが必要である。
【００４９】
そのためには、例えば跳ね返りボード１６を、平面視ネット１３の伸張方向と交差する方向（本実施の形態では直交方向、図２のＸ−Ｘ方向）の前後に角度α（図１参照）で傾斜させたり、さらに、その状態で、平面視ネット１３の伸張方向を基準として時計方向に角度β（図２参照）で回転させたりするのがよい。
【００５０】
このときの角度α及び角度βは、プレーヤー３８がアーム機構２０を操作して自由に設定することができる。
こうして、跳ね返りボード１６を任意の方向に傾斜させて立て掛けたり、また、反発シート１７に部分的に凹部１８や凸部１９を形成することで、例えばサービスの練習の際に、どのような種類の回転をかけたら、どんなボール３９が跳ね返ってくるか等の予測を困難とすることで、実戦に即した練習を行うことが可能となる。
【００５１】
また、跳ね返りボード１６に反発シート１７を貼付したことで、跳ね返ってくるボール３９の速度を高めたり回転がかかったボール３９が跳ね返ってくるようになり、上級者にとっても有用な練習装置となることが期待される。
【００５２】
例えば、ボール３９に対し下回転をかけてサービスを行い、跳ね返りボード１６で跳ね返ってきたボール３９に対し、上回転（ドライブ）で攻撃して決めるような、いわゆる３球目攻撃等の練習を効率的に行うことができる。
【００５３】
さらに、繰り返し（連続して）  ボール３９を打ち続ける練習を行うこともできる。こうして、一人での卓球の練習が可能である。なお、跳ね返りボード１６を、ネット１３に近い部分に配置することで、連続打ち込みの練習をすることもできる。
【００５４】
また、本実施の形態のアーム機構２０は、卓球台１０に直接固定されるものではないため、プレーヤー３８が任意の場所に簡単に位置移動させることができ、かつネット１３に対する傾斜角（角度α、角度β）等も任意に設定することができる。
（具体的な練習方法）
次に、図６〜図１７に基づき、さらに具体的な練習方法を説明する。
【００５５】
図６及び図７は、プレーヤー３８がストレートサービスを打った場合のボール３９の移動軌跡を含む平面図である。なお、図中の黒点はボール３９のバウンド位置を示している。
【００５６】
また、天板１２上には、２つの跳ね返りボード１６１、１６２を立て掛けておくものとする。
先ず、図６で、プレーヤー３８が打ったボール３９は、跳ね返りボード１６１に当たり、入射角分だけわずかに図の右側の方向に跳ね返ってくる。この跳ね返ってきたボール３９を、続いて、跳ね返りボード１６２に向けて打ち返す。さらに、跳ね返りボード１６２で跳ね返ってきたボール３９を打ち返すという連続プレーが可能である。
【００５７】
次に、図８及び図９は、プレーヤー３８が左回転サービスを打った場合の平面図である。
この場合、跳ね返りボード１６１が図６と同様にネット１３と平行であるときは、ボール３９は左回転ゆえ、図の右方向へ大きく跳ねて、卓球台１０から外に飛び出してしまう。
【００５８】
しかし、跳ね返りボード１６１を、予め図９のようにネット１３の伸張方向を基準として角度βだけ傾けておけば、ボール３９は卓球台１０上に返ってくる。そこで、返ってきたボール３９を、跳ね返りボード１６２の方向に向けて打ち返すことにより、連続したプレーが可能となる。
【００５９】
次に、図１０及び図１１は、プレーヤー３８が右回転サービスを打った場合の平面図である。
この場合、図１０に示すように、跳ね返りボード１６１がネット１３と平行であるときは、ボール３９は右回転ゆえ、図の左方向へ大きく跳ねて、卓球台１０から外に飛び出してしまう。
【００６０】
しかし、跳ね返りボード１６１を、予め図１１のようにネット１３の伸張方向を基準として角度βだけ傾けておけば、ボール３９は卓球台１０上に返ってくる。そこで、返ってきたボール３９を、跳ね返りボード１６２の方向に向けて打ち返すことにより、連続したプレーが可能となる。
【００６１】
このとき、跳ね返りボード１６に反発シート１７を貼付しておくことで、打ち込まれるボール３９の回転速度に比例して角度が大きくなって跳ね返ってくる。このため、種々のサービスに対応したボール３９が返ってくるので、プレーヤー３８にとっては、サービスの確認や跳ね返りの対応などの練習が可能となる。
【００６２】
若しも、反発シート１７がない場合は、跳ね返りボード１６の表面は滑らかな状態になっているので、ボール３９の回転に対してほとんど抵抗せず、回転してくるボール３９が表面で滑ってしまう。このため、回転がほとんどなくなった状態で、跳ね返りにくくなる。いわゆる、野球でいうナックルボールが返ってきてしまう。
【００６３】
通常の卓球の場合、このようなボール３９の返球はほとんどないので、練習には不向きである。
次に、図１２は、プレーヤー３８が下回転サービスを打った場合の平面図、図１３及び図１４は、その側面図である。
【００６４】
この場合、図１２及び図１３に示すように、跳ね返りボード１６１がネット１３と平行であるときは、跳ね返りボード１６１で跳ね返ったボール３９には、バックスピンがかかっている。このため、ボール３９は下方向に跳ね返り、ネット１３にかかってしまう。
【００６５】
そこで、図１４に示すように、跳ね返りボード１６１を、平面視ネット１３の伸張方向と交差する方向（本実施の形態では直交方向、図２のＸ−Ｘ方向）の後ろに角度（鈍角）αだけ予め傾斜（上向き）させておく。すると、ボール３９は、ネット１３を越えて跳ね返ってきて、プレーヤー３８はさらに跳ね返りボード１６２に向けて打つことができ、連続プレーが可能となる。
【００６６】
次に、図１５は、プレーヤー３８が上回転（ドライブ）サービスを打った場合の平面図、図１６及び図１７は、その側面図である。
この場合、図１５及び図１６に示すように、跳ね返りボード１６１がネット１３に対し後ろに傾斜していると、跳ね返りボード１６１で跳ね返ったボール３９には、ドライブがかかっているため、上方向に跳ね返り、卓球台１０から外に飛び出してしまう。
【００６７】
そこで、図１７に示すように、跳ね返りボード１６１を予めネット１３に対し前（下向き）に傾斜（鋭角α）させておく。すると、跳ね返りボード１６１で当ったボール３９はネット１３を越えて跳ね返ってくる。このため、このボール３９を再度跳ね返りボード１６２に向けて打ち返すことにより、連続プレーが可能となる。
【００６８】
この場合、跳ね返りボード１６１で跳ね返ってきたボール３９を、再度跳ね返りボード１６２に向けてドライブ回転で打ち返す場合は、跳ね返りボード１６２も、予めネット１３に対し前に傾斜（鋭角α）させておく必要がある。
【００６９】
このような練習を行うことで、実戦でのサービスの際、相手選手が打った、いかなる回転のボール３９の跳ね返り方向をも瞬時に見極めることができるようになる。また、実戦で相手サービスを打ち返す際の手首の角度のシミュレーションのトレーニングにもなる。
【００７０】
さらに、前述したように、跳ね返りボード１６は、平面視ネット１３に対し前後に傾斜自在であり、かつ任意位置に移動できるので、プレーヤー３８にとっては、サービスの際のボール３９の回転をも的確に理解しながら練習を行うことができる。
【００７１】  こうして、卓球を楽しむビギナーから上級選手にいたるまで、大切な基本の練習ないし技術の確認を行うことができる。  本実施の形態によれば、跳ね返りボード１６を、ネット１３に対し平面視ネット１３の伸張方向と交差する方向の前後に傾斜配置したので、ボール３９に回転をかけたサービスや、跳ね返ってきたボール３９に対して打ち込み等の練習を一人で行うことができ、かつ実戦に即した高度な練習を行うことができる。このため、相手プレーヤーのいない場合や、秘密裏に新しい技術を習得したいような場合には、本考案装置を用いることで単独で高度な練習を行うことができる。  ［実施の形態２］  図１８は、実施の形態２における（公序良俗違反につき、不掲載）卓球トレーニングボードの配列状態を示す図であり、図１９は、アーム機構の外観斜視図である。
【００７２】
なお、実施の形態１と同一又は相当する部材には同一の符号又は´（ダッシュ）を付してその説明を省略する。
本実施の形態では、アーム機構２０により、第１関節部２１の先端の固定金具２２を介して跳ね返りボード１６１（図示せず）を支持するとともに、アーム機構２０’により、第１関節部２１’の先端の固定金具２２’を介して跳ね返りボード１６２（図示せず）を支持するものである。本実施の形態では、これらのアーム機構２０、２０’により、天板１２上に２枚（１６１、１６２）の跳ね返りボード１６を取り付けた場合について説明する。
【００７３】
アーム機構２０は、実施の形態１で説明したものと同様に、第１関節部２１、第２関節部２７、及び第３関節部３２を有している。このアーム機構２０により、跳ね返りボード１６１（図示せず）を天板１２上の任意の位置に立て掛け配置する。なお、第１関節部２１、第２関節部２７、及び第３関節部３２は、六角ボルト６１等により着脱自在に接続されている。
【００７４】
また、跳ね返りボード１６１、１６２には、種々の形状の固定金具２２Ａ、２２Ｂ、２２Ｃ（図５参照）が取付可能となっていて、これらの固定金具２２に対し、アーム機構２０、２０’の第１関節部２１、２１’が着脱自在に取り付けられるようになっている。こうして、跳ね返りボード１６１、１６２の高さ位置も任意に変更することもできる。
【００７５】
アーム機構２０’は、第１関節部２１’、第２関節部２７’、第３関節部３２’を有している。第３関節部３２’は、取付孔５７を有するフランジ部５６が一体に固定されている。このアーム機構２０’を使用する場合、スタンド機構５０と組み合わせて用いることができる。
【００７６】
このスタンド機構５０は、天板１２に締め付け固定される。このスタンド機構５０は、断面コ字状の台座５１と、この台座５１から立設された軸部材５２とを有していて、ネジ５４，５４によって天板１２に固定される。なお、本実施の形態では、軸部材５２の長さは略４０ｃｍである。ただし、この長さは一例である。
【００７７】
こうして、スタンド機構５０の軸部材５２に、アーム機構２０’のフランジ部５６の取付孔５７を嵌挿し、ボルト５８で締め付け固定する。アーム機構２０’の一端側（フランジ部５６と反対側）に、跳ね返りボード１６２（図示せず）を支持する。
【００７８】
こうして、図１８に示すように、アーム機構２０により、跳ね返りボード１６１を天板１２の所望の位置（例えば、ネット１３に近い部分）に立て掛け配置する。さらに、アーム機構２０’により、跳ね返りボード１６２を天板１２の所定の位置（天板１２の隅部）に所定の高さで配置する。取り付け高さは、例えばフランジ部５６を締結するボルト５８によって調整することができる。
【００７９】
図２０は、スタンド機構５０の変形例を示している。
すなわち、スタンド機構５０’の台座５１’を床置き式とし、このスタンド機構５０’を卓球台１０の外の床面に配置する。そして、床面から垂直に長い軸部材５２’を延ばしてアーム機構２０’の先端に跳ね返りボード１６２を取り付ける。この場合、アーム機構２０’を伸縮自在とし、しかも各関節部２１’，２７’，３２’を回転させれば、天板１２上の任意の位置に跳ね返りボード１６２を配置することができる。このようにして、連続打ちを行うことができる。
【００８０】
さらに、例えば図２０において、アーム機構２０’の各関節部２１’，２７’，３２’に小型モータを取り付けて、電動力でアーム機構２０’を駆動制御することもできる。この小型モータを無線で作動可能とすれば、前述したように、リモートコントロールで跳ね返りボード１６２の位置を制御することができる。
【００８１】
こうして、セット時には、実施の形態１と同様に、跳ね返りボード１６１を、ネット１３に対し平面視ネット１３の伸張方向と交差する方向（本実施の形態では直交方向、図２のＸ−Ｘ方向）の前後に傾斜自在に立て掛け配置する。さらに、跳ね返りボード１６２を、軸部材５２の長手方向の所定位置に取り付け配置する。
【００８２】
このようにして、天板１２の任意の位置に跳ね返りボード１６１を配置し、さらに、跳ね返りボード１６２を軸部材５２の長手方向に位置調整自在とすることができる。こうして、跳ね返りボード１６１，１６２を、所望の位置に、かつ、ネット１３に対し平面視ネット１３の伸張方向と交差する方向の前後に傾斜配置することで、想定される各種の練習メニューにも対応することができる。
【００８３】
これにより、プレーヤー３８は、例えば跳ね返りボード１６１に直接ボール３９を打ち付けて、跳ね返ってきたボール３９を、任意の高さ位置に配置された跳ね返りボード１６２に向けて打ち返す等、連続的な打ち込み練習を行うことができる。
【００８４】  なお、その他の（公序良俗違反につき、不掲載）卓球トレーニングボード１５の使用方法は、実施の形態１と略同様であるので、その説明を省略する。  本実施の形態によれば、一方の跳ね返りボード１６１を、ネット１３に対し平面視ネット１３の伸張方向と交差する方向の前後に傾斜配置し、他方の跳ね返りボード１６２を、軸部材５２の長手方向（天板１２と平行な平面に対し直交方向）、ならびに任意の角度に調整自在としたことで、サービスしたボール３９の跳ね返り高さや跳ね返り方向等を自由に調整して高度な技術を習得することができる。
【００８５】［付記１］  一人打ち練習用の（公序良俗違反につき、不掲載）卓球トレーニングボードにおいて、  跳ね返りボードと、  当該跳ね返りボードを支持し、卓球台の一対の天板の境界に張設されたネットに対し平面視前記ネットの伸張方向と交差する方向の前後に傾斜自在に立て掛け配置するアーム機構と、を有する  ことを特徴とする（公序良俗違反につき、不掲載）卓球トレーニングボード。［付記２］  前記跳ね返りボードを、前記天板と平行な平面に対し直交方向に位置調整自在に配置した  ことを特徴とする付記１に記載の（公序良俗違反につき、不掲載）卓球トレーニングボード。［付記３］  前記跳ね返りボードの前記ネットに面する側に、相対的に反発係数及び粘着力の高い反発シートを貼付した  ことを特徴とする付記１又は２に記載の（公序良俗違反につき、不掲載）卓球トレーニングボード。［付記４］  前記反発シートの反発係数を部分的に変化させた  ことを特徴とする付記３に記載の（公序良俗違反につき、不掲載）卓球トレーニングボード。［付記５］  前記反発シートに部分的に凹凸部を形成した  ことを特徴とする付記３又は４に記載の（公序良俗違反につき、不掲載）卓球トレーニングボード。［付記６］  前記アーム機構は、多関節継手である  ことを特徴とする付記１に記載の（公序良俗違反につき、不掲載）卓球トレーニングボード。［付記７］  前記反発シートは、ブタジエン・ラバーである  ことを特徴とする付記３〜５に記載の（公序良俗違反につき、不掲載）卓球トレーニングボード。
【符号の説明】
【００８６】１０      卓球台１１      天板１２      天板１３      ネット１４      脚柱１５      （公序良俗違反につき、不掲載）卓球トレーニングボード１６      跳ね返りボード１６１、１６２    跳ね返りボード１７      反発シート１８      凹部１９      凸部２０      アーム機構２０’    アーム機構２１      第１関節部２１’    第１関節部２２      固定金具２２Ａ    固定金具２２Ｂ    固定金具２３      本体部２４      第１軸２５      連結ロッド２６      ネジ２７      第２関節部２７’    第２関節部２８      本体部２９      第２軸３０      連結ロッド３２      第３関節部３２’    第３関節部３３      本体部３４      第３軸３５      連結ロッド３７      ラケット３８      プレーヤー３９      ボール４１      ネジ孔４２      第１の支持孔４３      第２の支持孔４５      ネジ孔４６      係止片４７      係止ガイド５０      スタンド機構５０’    スタンド機構５１      台座５２      軸部材５４      ネジ５６      フランジ部５７      取付孔５８      ボルト６１      ６角ボルト
【図１】
0003153504.tif 000003
【図２】
0003153504.tif 000004
【図３】
0003153504.tif 000005
【図４】
0003153504.tif 000006
【図５Ａ】
0003153504.tif 000007
【図５Ｂ】
0003153504.tif 000008
【図５Ｃ】
0003153504.tif 000009
【図６】
0003153504.tif 000010
【図７】
0003153504.tif 000011
【図８】
0003153504.tif 000012
【図９】
0003153504.tif 000013
【図１０】
0003153504.tif 000014
【図１１】
0003153504.tif 000015
【図１２】
0003153504.tif 000016
【図１３】
0003153504.tif 000017
【図１４】
0003153504.tif 000018
【図１５】
0003153504.tif 000019
【図１６】
0003153504.tif 000020
【図１７】
0003153504.tif 000021
【図１８】
0003153504.tif 000022
【図１９】
0003153504.tif 000023
【図２０】
0003153504.tif 000024
【手続補正書】
【提出日】平成21年7月13日(2009.7.13)
【手続補正１】
【補正対象書類名】実用新案登録請求の範囲
【補正対象項目名】全文
【補正方法】変更
【補正の内容】
【実用新案登録請求の範囲】
【請求項１】
一人打ち練習用の卓球トレーニングボードにおいて、
跳ね返りボードと、
当該跳ね返りボードを支持し、卓球台の一対の天板の境界に張設されたネットに対し平面視前記ネットの伸張方向と交差する方向の前後に傾斜自在に立て掛け配置するアーム機構と、を有する
ことを特徴とする卓球トレーニングボード。
【手続補正３】
【補正対象書類名】明細書
【補正対象項目名】０００１
【補正方法】変更
【補正の内容】
【０００１】
本考案は、一人打ち練習用の卓球トレーニングボードに関する。
【手続補正４】
【補正対象書類名】明細書
【補正対象項目名】０００８
【補正方法】変更
【補正の内容】
【０００８】
本考案は、斯かる課題を解決するためになされたもので、跳ね返りボードを平面視ネットの伸張方向と交差する方向の前後に傾斜自在に配置して実戦に即した練習を可能とする卓球トレーニングボードを提供することを目的とする。 
【手続補正５】
【補正対象書類名】明細書
【補正対象項目名】０００９
【補正方法】変更
【補正の内容】
【０００９】
前記目的を達成するため、本考案は、
一人打ち練習用の卓球トレーニングボードにおいて、
跳ね返りボードと、
当該跳ね返りボードを支持し、卓球台の一対の天板の境界に張設されたネットに対し平面視前記ネットの伸張方向と交差する方向の前後に傾斜自在に立て掛け配置するアーム機構と、を有することを特徴とする。
【手続補正６】
【補正対象書類名】明細書
【補正対象項目名】００１０
【補正方法】変更
【補正の内容】
【００１０】
本考案によれば、跳ね返りボードを平面視ネットの伸張方向と交差する方向の前後に傾斜自在に配置して実戦に即した練習を可能とする卓球トレーニングボードを提供することができる。
【手続補正７】
【補正対象書類名】明細書
【補正対象項目名】００１１
【補正方法】変更
【補正の内容】
【００１１】
【図１】実施の形態１における卓球トレーニングボードをプレーヤーが使用している状態を示す図である。
【図２】同上の外観斜視図である。
【図３】卓球トレーニングボードの外観斜視図である。
【図４】跳ね返りボードの外観斜視図である。
【図５Ａ】固定金具の変形例を示す図である。
【図５Ｂ】固定金具の変形例を示す図である。
【図５Ｃ】固定金具の変形例を示す図である。
【図６】プレーヤーがストレートサービスを打った場合の平面図である。
【図７】プレーヤーがストレートサービスを打った場合の平面図である。
【図８】プレーヤーが左回転サービスを打った場合の平面図である。
【図９】プレーヤーが左回転サービスを打った場合の平面図である。
【図１０】プレーヤーが右回転サービスを打った場合の平面図である。
【図１１】プレーヤーが右回転サービスを打った場合の平面図である。
【図１２】プレーヤーが下回転サービスを打った場合の平面図である。
【図１３】同上の側面図である。
【図１４】同上の側面図である。
【図１５】プレーヤーが上回転サービスを打った場合の平面図である。
【図１６】同上の側面図である。
【図１７】同上の側面図である。
【図１８】実施の形態２における卓球トレーニングボードの配列状態を示す図である。
【図１９】同上のアーム機構の外観斜視図である。
【図２０】同上のアーム機構の変形例の外観斜視図である。
【手続補正８】
【補正対象書類名】明細書
【補正対象項目名】００１２
【補正方法】変更
【補正の内容】
【００１２】
以下、図面に基づき本考案の実施の形態を説明する。
［実施の形態１］
図１は、本実施の形態において、卓球トレーニングボード１５をプレーヤー３８が使用している状態を示す図であり、図２は、その外観斜視図である。
【手続補正９】
【補正対象書類名】明細書
【補正対象項目名】００１３
【補正方法】変更
【補正の内容】
【００１３】
図１及び図２において、卓球台１０は、隣接配置された一対の天板１１，１２と、これら一対の天板１１，１２の境界から略垂直上方に張設されたネット１３と、天板１１，１２を支持する脚柱１４とを有する。一方の天板１２上には、本実施の形態の卓球トレーニングボード１５が配設されている。
【手続補正１０】
【補正対象書類名】明細書
【補正対象項目名】００１４
【補正方法】変更
【補正の内容】
【００１４】
例えば、プレーヤー３８がサービスしたボール３９は、図１の実線のような軌跡をたどって卓球トレーニングボード１５の跳ね返りボード１６（後述する）に当たり、跳ね返ってきたボール３９をプレーヤー３８が打ち返すということが行われる。
【手続補正１１】
【補正対象書類名】明細書
【補正対象項目名】００１５
【補正方法】変更
【補正の内容】
【００１５】
図３は、卓球トレーニングボード１５の外観斜視図である。
図３に示すように、この卓球トレーニングボード１５は、跳ね返りボード１６を支持し、この跳ね返りボード１６をネット１３に対し平面視ネット１３の伸張方向と交差する方向（本実施の形態では直交方向、すなわち図２のＸ−Ｘ方向）の前後（本実施の形態では、図１のＡ−Ａ方向）に傾斜（傾斜角α）自在に立て掛け配置するアーム機構２０と、を有している。
【手続補正１２】
【補正対象書類名】明細書
【補正対象項目名】００２６
【補正方法】変更
【補正の内容】
【００２６】
なお、反発シート１７の右上部に付された「□□ボード」なるラベルは、本考案者が卓球トレーニングボードを広く市場に普及させることで名を残したいとの思いから貼付したものである。このため、このラベルの貼付は省略されることがある。
【手続補正１３】
【補正対象書類名】明細書
【補正対象項目名】００４６
【補正方法】変更
【補正の内容】
【００４６】
このような固定金具２２Ｂを、各跳ね返りボード１６に予め固定しておくことで、必要に応じ、跳ね返りボード１６を異なる形状等のものに取り替えることができる。
（装置の使用方法）
次に、本実施の形態の卓球トレーニングボード１５の基本的な使用方法を説明する。
【手続補正１４】
【補正対象書類名】明細書
【補正対象項目名】００７１
【補正方法】変更
【補正の内容】
【００７１】
こうして、卓球を楽しむビギナーから上級選手にいたるまで、大切な基本の練習ないし技術の確認を行うことができる。
本実施の形態によれば、跳ね返りボード１６を、ネット１３に対し平面視ネット１３の伸張方向と交差する方向の前後に傾斜配置したので、ボール３９に回転をかけたサービスや、跳ね返ってきたボール３９に対して打ち込み等の練習を一人で行うことができ、かつ実戦に即した高度な練習を行うことができる。このため、相手プレーヤーのいない場合や、秘密裏に新しい技術を習得したいような場合には、本考案装置を用いることで単独で高度な練習を行うことができる。
［実施の形態２］
図１８は、実施の形態２における卓球トレーニングボードの配列状態を示す図であり、図１９は、アーム機構の外観斜視図である。
【手続補正１５】
【補正対象書類名】明細書
【補正対象項目名】００８４
【補正方法】変更
【補正の内容】
【００８４】
なお、その他の卓球トレーニングボード１５の使用方法は、実施の形態１と略同様であるので、その説明を省略する。
本実施の形態によれば、一方の跳ね返りボード１６１を、ネット１３に対し平面視ネット１３の伸張方向と交差する方向の前後に傾斜配置し、他方の跳ね返りボード１６２を、軸部材５２の長手方向（天板１２と平行な平面に対し直交方向）、ならびに任意の角度に調整自在としたことで、サービスしたボール３９の跳ね返り高さや跳ね返り方向等を自由に調整して高度な技術を習得することができる。
【手続補正１６】
【補正対象書類名】明細書
【補正対象項目名】００８５
【補正方法】変更
【補正の内容】
【００８５】
［付記１］
一人打ち練習用の卓球トレーニングボードにおいて、
跳ね返りボードと、
当該跳ね返りボードを支持し、卓球台の一対の天板の境界に張設されたネットに対し平面視前記ネットの伸張方向と交差する方向の前後に傾斜自在に立て掛け配置するアーム機構と、を有する
ことを特徴とする卓球トレーニングボード。
［付記２］
前記跳ね返りボードを、前記天板と平行な平面に対し直交方向に位置調整自在に配置した
ことを特徴とする付記１に記載の卓球トレーニングボード。
［付記３］
前記跳ね返りボードの前記ネットに面する側に、相対的に反発係数及び粘着力の高い反発シートを貼付した
ことを特徴とする付記１又は２に記載の卓球トレーニングボード。
［付記４］
前記反発シートの反発係数を部分的に変化させた
ことを特徴とする付記３に記載の卓球トレーニングボード。
［付記５］
前記反発シートに部分的に凹凸部を形成した
ことを特徴とする付記３又は４に記載の卓球トレーニングボード。
［付記６］
前記アーム機構は、多関節継手である
ことを特徴とする付記１に記載の卓球トレーニングボード。
［付記７］
前記反発シートは、ブタジエン・ラバーである
ことを特徴とする付記３〜５に記載の卓球トレーニングボード。
【手続補正１７】
【補正対象書類名】明細書
【補正対象項目名】００８６
【補正方法】変更
【補正の内容】
【００８６】
１０      卓球台
１１      天板
１２      天板
１３      ネット
１４      脚柱
１５      卓球トレーニングボード
１６      跳ね返りボード
１６１、１６２    跳ね返りボード
１７      反発シート
１８      凹部
１９      凸部
２０      アーム機構
２０’    アーム機構
２１      第１関節部
２１’    第１関節部
２２      固定金具
２２Ａ    固定金具
２２Ｂ    固定金具
２３      本体部
２４      第１軸
２５      連結ロッド
２６      ネジ
２７      第２関節部
２７’    第２関節部
２８      本体部
２９      第２軸
３０      連結ロッド
３２      第３関節部
３２’    第３関節部
３３      本体部
３４      第３軸
３５      連結ロッド
３７      ラケット
３８      プレーヤー
３９      ボール
４１      ネジ孔
４２      第１の支持孔
４３      第２の支持孔
４５      ネジ孔
４６      係止片
４７      係止ガイド
５０      スタンド機構
５０’    スタンド機構
５１      台座
【手続補正１８】
【補正対象書類名】図面
【補正対象項目名】図４
【補正方法】変更
【補正の内容】
【図４】
0003153504.tif 000025